(57)【要約】【課題】一個の記録媒体に多数のコンテンツを記録する場合でも、コンテンツ提供元は記録媒体を安価に提供でき、ユーザは記録媒体を安価に購入できるようにする。【解決手段】光ディスク１に、再生許可情報記録領域１ｅを設ける。コンテンツ記録領域１ｃには、コンテンツ提供元によって、映像や音楽などの多数のコンテンツを、全てのコンテンツまたは一部の複数のコンテンツの再生を制限した状態で、例えばコンテンツデータを暗号化して、記録する。ユーザは、その再生制限されたコンテンツを再生する場合には、コンテンツ提供元から再生許可情報、例えば復号鍵を取得する。取得された再生許可情報は、コンテンツ再生装置によって光ディスク１の再生許可情報記録領域１ｅに記録される。コンテンツ再生装置は、再生を指示された当該コンテンツにつき、再生許可情報記録領域１ｅに再生許可情報が記録されているときには、当該コンテンツを再生する。【選択図】図１
2006004473.tif 000002
【特許請求の範囲】
【請求項１】
一部の領域のコンテンツ記録領域に、複数のコンテンツが、それぞれの再生が制限された状態で記録されているとともに、前記コンテンツ記録領域とは別に、前記再生制限を解除してコンテンツの再生を許可する情報が記録される再生許可情報記録領域が確保されたコンテンツ記録媒体。
【請求項２】
請求項１のコンテンツ記録媒体において、
当該コンテンツ記録媒体は、ディスク媒体であり、
前記コンテンツ記録領域および前記再生許可情報記録領域は、それぞれ前記ディスク媒体の径方向の一部領域であるコンテンツ記録媒体。
【請求項３】
請求項１のコンテンツ記録媒体において、
当該コンテンツ記録媒体は、カード状メモリであり、
前記コンテンツ記録領域および前記再生許可情報記録領域は、それぞれ前記カード状メモリの一部領域であるコンテンツ記録媒体。
【請求項４】
請求項１のコンテンツ記録媒体において、
当該コンテンツ記録媒体は、ディスク媒体であり、
前記コンテンツ記録領域は、前記ディスク媒体の径方向の一部領域であり、
前記再生許可情報記録領域は、前記ディスク媒体の前記コンテンツ記録領域の内側または外側に取り付けられたチップ状メモリであるコンテンツ記録媒体。
【請求項５】
請求項１のコンテンツ記録媒体において、
前記複数のコンテンツは、それぞれデータが暗号化されることによって、それぞれの再生が制限されたものであり、前記再生許可情報は、その暗号を復号する鍵であるコンテンツ記録媒体。
【請求項６】
請求項１のコンテンツ記録媒体において、
前記再生許可情報は、１つまたは１グループのコンテンツ単位であるコンテンツ記録媒体。
【請求項７】
一部の領域のコンテンツ記録領域に、複数のコンテンツが、それぞれの再生が制限された状態で記録されているとともに、前記コンテンツ記録領域とは別に、前記再生制限を解除してコンテンツの再生を許可する情報が記録される再生許可情報記録領域が確保されたコンテンツ記録媒体につき、コンテンツ再生側で前記再生許可情報を取得する方法であって、
コンテンツ再生側において、再生許可情報発行元のサーバに対して、前記再生許可情報を要求する再生許可情報要求工程と、
その要求に対して前記サーバが、コンテンツ再生側に前記再生許可情報を発行する再生許可情報発行工程と、
コンテンツ再生側において、その発行された再生許可情報を受信し、前記再生許可情報記録領域に記録する再生許可情報受信記録工程と、
を備える再生許可情報取得方法。
【請求項８】
請求項７の再生許可情報取得方法において、
前記再生許可情報要求工程、および前記再生許可情報発行工程は、それぞれネットワークを通じて行う再生許可情報取得方法。
【請求項９】
請求項７の再生許可情報取得方法において、
前記再生許可情報要求工程は、コンテンツ再生側の携帯電話端末が前記サーバに対して行い、前記再生許可情報発行工程は、前記サーバが前記携帯電話端末に対して行う再生許可情報取得方法。
【請求項１０】
請求項７の再生許可情報取得方法において、
前記複数のコンテンツは、それぞれデータが暗号化されることによって、それぞれの再生が制限されたものであり、前記再生許可情報は、その暗号を復号する鍵である再生許可情報取得方法。
【請求項１１】
請求項７の再生許可情報取得方法において、
前記再生許可情報は、１つまたは１グループのコンテンツ単位である再生許可情報取得方法。
【請求項１２】
請求項７の再生許可情報取得方法において、
前記再生許可情報要求工程では、要求対象のコンテンツ記録媒体を特定する媒体識別情報、および要求対象のコンテンツを特定するコンテンツ識別情報を付加して前記再生許可情報を要求し、前記再生許可情報発行工程では、前記媒体識別情報および前記コンテンツ識別情報を付加して前記再生許可情報を発行する再生許可情報取得方法。
【請求項１３】
一部の領域のコンテンツ記録領域に、複数のコンテンツが、それぞれの再生が制限された状態で記録されているとともに、前記コンテンツ記録領域とは別に、前記再生制限を解除してコンテンツの再生を許可する情報が記録される再生許可情報記録領域が確保されたコンテンツ記録媒体から、コンテンツを再生する方法であって、
再生を指示された当該コンテンツにつき、前記再生許可情報記録領域に再生許可情報が記録されているか否かを判断する判断工程と、
この判断工程で当該コンテンツにつき前記再生許可情報記録領域に再生許可情報が記録されていると判断したとき、当該コンテンツを再生する再生工程と、
前記判断工程で当該コンテンツにつき前記再生許可情報記録領域に再生許可情報が記録されていないと判断したとき、当該コンテンツを再生できない旨を呈示する呈示工程と、
を備えるコンテンツ再生方法。
【請求項１４】
一部の領域のコンテンツ記録領域に、複数のコンテンツが、それぞれの再生が制限された状態で記録されているとともに、前記コンテンツ記録領域とは別に、前記再生制限を解除してコンテンツの再生を許可する情報が記録される再生許可情報記録領域が確保されたコンテンツ記録媒体から、コンテンツを再生する装置であって、
再生を指示された当該コンテンツにつき、前記再生許可情報記録領域に再生許可情報が記録されているか否かを判断する判断手段と、
この判断手段によって当該コンテンツにつき前記再生許可情報記録領域に再生許可情報が記録されていると判断されたとき、当該コンテンツを再生する再生手段と、
前記判断手段によって当該コンテンツにつき前記再生許可情報記録領域に再生許可情報が記録されていないと判断されたとき、当該コンテンツを再生できない旨を呈示する呈示手段と、
を備えるコンテンツ再生装置。
【請求項１５】
請求項１４のコンテンツ再生装置において、
再生許可情報を発行するサーバとの間のネットワークを通じた通信によって前記サーバから再生許可情報を受信する通信手段と、その受信された再生許可情報を前記再生許可情報記録領域に記録する記録手段とを備えるコンテンツ再生装置。
【請求項１６】
請求項１４のコンテンツ再生装置において、
携帯電話端末から送信された再生許可情報を受信する受信手段と、その受信された再生許可情報を前記再生許可情報記録領域に記録する記録手段とを備えるコンテンツ再生装置。
【請求項１７】
請求項１４のコンテンツ再生装置において、
当該コンテンツ再生装置に装着された外部メモリから、これに書き込まれている再生許可情報を読み出す手段と、その読み出された再生許可情報を前記再生許可情報記録領域に記録する記録手段とを備えるコンテンツ再生装置。
【発明の詳細な説明】
【技術分野】
【０００１】
この発明は、映像や音楽などのコンテンツが複数、それぞれコンテンツデータとして記録された、光ディスクや半導体メモリなどのコンテンツ記録媒体、および、これに関連する再生許可情報取得方法、コンテンツ再生方法およびコンテンツ再生装置に関する。
【背景技術】
【０００２】
映像や音楽などのコンテンツをユーザに提供する方法としては、コンテンツデータが記録された記録媒体をユーザに販売またはレンタルする方法や、コンテンツデータをネットワークを通じてユーザに配信する方法などがある。
【０００３】
特許文献１（特開２００３−９１９２７号公報）には、貸し出し用ディスク媒体に貸し出し用であることを示す識別情報を記録し、その識別情報によってコンテンツの再生を制限することが示されている。
【０００４】
また、特許文献２（特開２００２−３５９６１６号公報）には、ライセンス元のサーバからユーザ側のクライアントに、ライセンス特定情報および復号鍵情報を含む暗号化されたコンテンツデータを送信し、そのライセンス特定情報をもとにクライアントがサーバにライセンスを要求し、サーバが該当するライセンスをクライアントに送信し、そのライセンスをもとにクライアントが暗号化されたコンテンツデータを復号し、コンテンツを再生する方法が示されている。
【０００５】
上に挙げた先行技術文献は、以下のとおりである。
【特許文献１】特開２００３−９１９２７号公報
【特許文献２】特開２００２−３５９６１６号公報
【発明の開示】
【発明が解決しようとする課題】
【０００６】
記録媒体の大容量化や、圧縮技術によるデータの高圧縮化によって、一枚のディスク媒体などの一個の記録媒体に、多数の映像や音楽などのコンテンツを記録できるようになっている。例えば、５０ＧＢ（ギガバイト）のＢＤ（Ｂｌｕ−ｒａｙ  Ｄｉｓｃ（登録商標））１枚には、約７０枚分のＣＤ（Ｃｏｍｐａｃｔ  Ｄｉｓｃ）アルバムを収録することができ、さらにＣＤ−ＤＡ（ＣＤ  Ｄｉｇｉｔａｌ  Ａｕｄｉｏ）の１／１０の圧縮コーデックを使用すれば、約７００枚分のＣＤアルバムを収録することができる。
【０００７】
しかし、このように一枚のディスク媒体に、ＤＶＤ（Ｄｉｇｉｔａｌ  Ｖｅｒｓａｔｉｌｅ  Ｄｉｓｃ）の何枚分、ＣＤの何１０枚分、何１００枚分というような、多数の映像や音楽を記録して、ユーザに提供する場合、コンテンツ提供元は、提供するコンテンツの数が多くなるために、ディスクの販売価格を高くせざるを得ず、その結果、ユーザとしては、ディスクが買いずらくなる。
【０００８】
そこで、この発明は、一個の記録媒体に多数のコンテンツを記録する場合でも、コンテンツ提供元は記録媒体を安価に提供することができ、ユーザは記録媒体を安価に購入することができるようにしたものである。
【課題を解決するための手段】
【０００９】
この発明のコンテンツ記録媒体は、一部の領域のコンテンツ記録領域に、複数のコンテンツが、それぞれの再生が制限された状態で記録されているとともに、前記コンテンツ記録領域とは別に、前記再生制限を解除してコンテンツの再生を許可する情報が記録される再生許可情報記録領域が確保されたものである。
【００１０】
上記の構成の、この発明のコンテンツ記録媒体では、ユーザが、コンテンツ記録媒体の取得時または取得後、コンテンツ記録媒体に記録されているが、その再生が制限されている複数のコンテンツ中の、見たい映像や聴きたい曲につき、コンテンツ提供元などの許可元にコンテンツ再生許可を要求し、これに対して許可元が、ユーザに再生許可情報（再生制限解除情報）を発行することによって、ユーザは、見たい映像や聴きたい曲につき、再生許可情報を取得することができる。
【００１１】
その再生許可情報は、ユーザの操作やコンテンツ再生装置の動作などによって、当該のコンテンツ記録媒体の再生許可情報記録領域に記録され、コンテンツ再生装置の制御手段は、ユーザによってコンテンツの再生が指示されたとき、そのコンテンツにつきコンテンツ記録媒体の再生許可情報記録領域に再生許可情報が記録されている場合にのみ、そのコンテンツを再生する。
【発明の効果】
【００１２】
したがって、コンテンツ提供元は、ユーザから再生許可要求があったときユーザに課金することによって個々のコンテンツの対価を回収できるので、一個の記録媒体に多数のコンテンツを記録する場合でも、コンテンツ記録媒体そのものは安価に、場合によっては無料で、ユーザに提供することができる。
【００１３】
ユーザとしても、多数のコンテンツが収録されたコンテンツ記録媒体を安価に、または無料で手に入れ、そのうちの希望するコンテンツのみを購入することができるとともに、アルバムごとに違うＣＤやＤＶＤなどを買わなくても、一枚のメディアによって多数のアルバムを利用することができ、アルバムの購入や管理の手間が軽減する。
【００１４】
しかも、取得された再生許可情報は、コンテンツ記録媒体に記録され、当該コンテンツが再生が制限されたままのものであるか、再生制限が解除されて再生が許可されたものであるかは、コンテンツ記録媒体上に示されるので、コンテンツ再生装置が、コンテンツ記録媒体に再生許可情報が記録されているか否かを判断し、再生許可情報が記録されている場合にのみ当該コンテンツを再生する機能を備えるものであれば、正当に再生許可情報を取得したコンテンツについては、ユーザは、いずれの場所の、いずれのコンテンツ再生装置によっても、当該コンテンツを再生することができるとともに、ユーザからコンテンツ記録媒体を正当に譲り受けた第三者も、そのまま当該コンテンツを再生することができる。
【００１５】
また、コンテンツ提供元は、アルバムごとに別の記録媒体を作成しないで、同一の記録媒体を作成し、大量に頒布することができるので、記録媒体の製造コストや流通コストを大幅に低減させることができる。
【発明を実施するための最良の形態】
【００１６】
〔１．コンテンツ記録媒体の実施形態：図１〜３〕
（１−１．コンテンツ記録媒体の例）
図１〜図３は、それぞれ、この発明のコンテンツ記録媒体の一例を示す。
【００１７】
図１の例は、コンテンツ記録媒体が光ディスクとされた場合で、その光ディスク１の物理的な領域が、光ディスク１の内周側から外周側にかけて、リードイン部１ａ、再生許可情報記録領域１ｅ、コンテンツ記録領域１ｃおよびリードアウト部１ｂに分けられる。
【００１８】
あらかじめ、コンテンツ提供元によって、コンテンツ記録領域１ｃには、映像や音楽などの多数のコンテンツが、後述のように全てのコンテンツまたは一部の複数のコンテンツの再生が制限された状態で記録され、リードイン部１ａには、当該のコンテンツ記録媒体を特定する媒体識別情報、コンテンツ記録領域１ｃに記録されたコンテンツの数、各コンテンツを特定するコンテンツ識別情報、各コンテンツのタイトルなどを示すコンテンツ索引情報、各コンテンツが記録された光ディスク１上のアドレス、および各コンテンツに対する再生許可情報が記録される光ディスク１上のアドレスが記録され、リードアウト部１ｂには、コンテンツデータの終了を示す情報などが記録される。
【００１９】
再生許可情報記録領域１ｅには、後述のように、ユーザによる光ディスク１の取得時または取得後、再生許可情報、すなわち上記の再生制限を解除してコンテンツの再生を許可する情報が記録される。
【００２０】
図２の例は、コンテンツ記録媒体が、Ｍｅｍｏｒｙ  Ｓｔｉｃｋ（登録商標）やＩＣカードなどのカード状メモリとされた場合で、そのカード状メモリ３のアドレス領域が、コンテンツ記録領域３ｃと再生許可情報記録領域３ｅに分けられ、コンテンツ記録領域３ｃには、あらかじめ、コンテンツ提供元によって、音楽などの多数のコンテンツが、全てのコンテンツまたは一部の複数のコンテンツの再生が制限された状態で記録され、再生許可情報記録領域３ｅには、ユーザによるカード状メモリ３の取得時または取得後、上記の再生許可情報が記録される。
【００２１】
図３の例は、コンテンツ記録媒体が、光ディスク５の最内周部に半導体チップ５ｅが埋め込まれたものとされた場合で、光ディスク５自体の物理的な領域が、リードイン部５ａ、コンテンツ記録領域５ｃおよびリードアウト部５ｂに分けられ、コンテンツ記録領域５ｃに、あらかじめ、コンテンツ提供元によって、映像や音楽などの多数のコンテンツが、全てのコンテンツまたは一部の複数のコンテンツの再生が制限された状態で記録されるとともに、半導体チップ５ｅが再生許可情報記録領域とされて、これに、ユーザによる光ディスク５の取得時または取得後、上記の再生許可情報が記録される。
【００２２】
（１−２．再生制限の対象）
再生制限の対象とするコンテンツは、コンテンツ記録領域１ｃ，３ｃまたは５ｃに記録される多数のコンテンツの全てでもよいが、一部の複数のコンテンツでもよい。
【００２３】
例えば、図１または図３の例で、５０ＧＢのＢＤ１枚に７０枚分のＣＤアルバムを記録する場合、一部の新譜ではないアルバムは、再生を制限しない状態で記録し、残部の新譜のアルバムは、再生を制限した状態で記録してもよい。この場合、再生許可情報はアルバム単位とすることができる。
【００２４】
同様にＢＤ１枚に多数のＣＤアルバムを記録する場合でも、アルバムごとに、一部の楽曲は、再生を制限しない状態で記録し、残部の楽曲は、再生を制限した状態で記録してもよい。この場合、再生許可情報は楽曲単位とする。
【００２５】
また、コマーシャル用コンテンツや試聴用（試視聴用）コンテンツは、再生を制限しない状態で記録し、本編用コンテンツは、再生を制限した状態で記録してもよい。さらに、１つのコンテンツでも、一部（例えば冒頭部）は再生を制限しない状態で記録し、残部は再生を制限した状態で記録してもよい。
【００２６】
（１−３．再生制限および再生許可情報の態様）
コンテンツの再生制限は、一例として、コンテンツデータを暗号化して記録することによって行う。この場合、ユーザは、再生許可情報として復号鍵（暗号解読鍵）を取得することによって、その暗号化されたコンテンツデータを復号し、コンテンツを再生することができる。
【００２７】
ただし、後述のように、コンテンツデータを暗号化する方法以外の方法によって、コンテンツの再生を制限することもできる。
【００２８】
コンテンツデータを暗号化して記録する場合でも、１つのコンテンツの一部のデータは暗号化しなくてもよい。例えば、コンテンツが楽曲の場合、その頭の部分（曲の先頭部）はデータを暗号化せず、頭の部分の後の部分のデータを暗号化する。この場合、ユーザは、再生許可情報として復号鍵を取得しなくても、曲の先頭部のみは聴くことができ、その結果から、その曲を購入するか否か、すなわち、その曲の再生許可情報を取得するか否かを判断することができる。
【００２９】
コンテンツデータの暗号化は、１コンテンツ単位とすることもできるが、上記のアルバムのような１グループコンテンツ単位とすることもできる。
【００３０】
コンテンツデータを暗号化する場合、再生許可情報は、上記の復号鍵に対して、当該のコンテンツ記録媒体を特定する媒体識別情報、および当該のコンテンツを特定するコンテンツ識別情報を付加したものとする。
【００３１】
〔２．再生許可情報取得方法の実施形態：図４〕
図１〜図３の例のようなコンテンツ記録媒体を有償または無償で取得したユーザは、以下のような方法によって、希望するコンテンツにつき再生許可情報を取得する。
【００３２】
図４は、上記のコンテンツ記録媒体を、コンテンツ提供元１２が販売し、ユーザ１１が購入した状態を示す。このとき、例えば、コンテンツ提供元１２からユーザ１１には、コンテンツ記録媒体に記録されている各コンテンツまたは各グループコンテンツのタイトルや概略の内容（コンテンツが映画やドラマなどの映像である場合には主演俳優や監督など、コンテンツが楽曲である場合には歌手や演奏者など）を示すリストが配布され、ユーザ１１が、そのリストを見て、再生許可情報の取得により購入するコンテンツを選択できるようにされる。
【００３３】
（２−１．コンテンツ記録媒体取得時の再生許可情報取得）
再生許可情報を取得する方法の第１は、コンテンツ記録媒体の取得時、その場で、コンテンツ提供元１２から再生許可情報を取得する方法である。
【００３４】
すなわち、この第１の方法では、ユーザ１１は、コンテンツ提供元１２からコンテンツ記録媒体を取得した時、その場で、コンテンツ提供元１２に代金を支払って、またはコンテンツ提供元１２の課金処理を受けて、希望するコンテンツにつき再生許可情報を取得する。
【００３５】
この場合、コンテンツ提供元１２は、書き込み装置によって、ユーザ１１が取得したコンテンツ記録媒体の再生許可情報記録領域、またはコンテンツ記録媒体とは別の外部メモリ９に、ユーザ１１が取得したコンテンツ記録媒体を特定する媒体識別情報、およびユーザ１１が購入するコンテンツを特定するコンテンツ識別情報を含む再生許可情報、例えば上述した復号鍵（暗号解読鍵）を書き込む。
【００３６】
外部メモリ９に再生許可情報を書き込んでもらった場合には、ユーザ１１は、（ａ）外部メモリ９をコンテンツ再生装置２０に装着し、コンテンツ再生装置２０によって再生許可情報をコンテンツ記録媒体の再生許可情報記録領域に記録し、または（ｂ）外部メモリ９をＰＣ（パーソナルコンピュータ）１７に装着し、ＰＣ１７によって再生許可情報をコンテンツ再生装置２０に転送し、さらにコンテンツ再生装置２０によって再生許可情報をコンテンツ記録媒体の再生許可情報記録領域に記録する。
【００３７】
（２−２．コンテンツ記録媒体取得後の再生許可情報取得）
再生許可情報を取得する方法の第２は、コンテンツ記録媒体の取得後、コンテンツ提供元１２自身である、またはコンテンツ提供元１２と関連する再生許可情報発行元１３に再生許可を要求し、再生許可情報発行元１３から再生許可情報を取得する方法である。
【００３８】
この第２の方法としては、（１）コンテンツ記録媒体の取得時と同様に、そのコンテンツ記録媒体の再生許可情報記録領域、またはコンテンツ記録媒体とは別の外部メモリ９に、再生許可情報を書き込んでもらう方法、（２）コンテンツ再生装置２０によってオンラインで再生許可情報を取得する方法、（３）ＰＣ１７によってオンラインで再生許可情報を取得する方法、（４）携帯電話端末１８を利用して再生許可情報を取得する方法、などを用いることができる。
【００３９】
（１）の方法中の、外部メモリ９に再生許可情報を書き込んでもらう方法では、ユーザ１１は、上記の（ａ）または（ｂ）の方法によって、その取得した再生許可情報をコンテンツ記録媒体の再生許可情報記録領域に記録する。
【００４０】
＜コンテンツ再生装置による方法＞
（２）の、コンテンツ再生装置２０によってオンラインで再生許可情報を取得する方法では、まず、コンテンツ再生装置２０から、汎用または専用の広域ネットワーク１６を介して再生許可情報発行元１３のサーバ１４に、再生許可を要求する。このとき、コンテンツ再生装置２０は、ユーザ１１の操作に基づいて、再生許可要求とともに、ユーザ１１が取得したコンテンツ記録媒体を特定する媒体識別情報、ユーザ１１が購入するコンテンツを特定するコンテンツ識別情報、およびサーバ１４での認証処理または課金処理のために必要なユーザ情報を、サーバ１４に送信する。
【００４１】
これを受けて、サーバ１４は、ユーザ情報、媒体識別情報およびコンテンツ識別情報によって、認証処理または課金処理を行った上で、広域ネットワーク１６を介してコンテンツ再生装置２０に、再生許可情報を発行する。このとき、サーバ１４は、再生許可情報とともに、上記の媒体識別情報およびコンテンツ識別情報を、コンテンツ再生装置２０に送信する。
【００４２】
コンテンツ再生装置２０は、その再生許可情報を受信し、コンテンツ記録媒体の再生許可情報記録領域に記録する。これによって、ユーザ１１は、希望するコンテンツにつき再生許可情報を取得することができる。
【００４３】
＜ＰＣによる方法＞
（３）の、ＰＣ１７によってオンラインで再生許可情報を取得する方法では、まず、ＰＣ１７から、広域ネットワーク１６を介してサーバ１４に、再生許可を要求する。このとき、ＰＣ１７は、ユーザ１１の入力操作、またはコンテンツ再生装置２０からの転送によって、再生許可要求とともに、上記の媒体識別情報、コンテンツ識別情報およびユーザ情報を、サーバ１４に送信する。
【００４４】
これを受けて、サーバ１４は、上記（２）の方法と同様に、ＰＣ１７に再生許可情報を送信し、ＰＣ１７は、その再生許可情報をコンテンツ再生装置２０に転送し、コンテンツ再生装置２０は、その再生許可情報をコンテンツ記録媒体の再生許可情報記録領域に記録する。
【００４５】
＜携帯電話端末を利用する方法＞
（４）の、携帯電話端末１８を利用して再生許可情報を取得する方法では、まず、携帯電話端末１８から、携帯電話通信網１９を介してサーバ１４に、再生許可を要求する。このとき、携帯電話端末１８は、ユーザ１１の操作に基づいて、再生許可要求とともに、上記の媒体識別情報、コンテンツ識別情報およびユーザ情報を、サーバ１４に送信する。
【００４６】
なお、これら情報は、外部メモリをコンテンツ再生装置２０またはＰＣ１７に装着して、コンテンツ再生装置２０またはＰＣ１７によって外部メモリに書き込み、その外部メモリを携帯電話端末１８に装着することによって、携帯電話端末１８に取り込み、携帯電話端末１８からサーバ１４に送信することができる。
【００４７】
また、これら情報は、ＵＳＢ（Ｕｎｉｖｅｒｓａｌ  Ｓｅｒｉａｌ  Ｂｕｓ）ケーブルなどによりコンテンツ再生装置２０またはＰＣ１７と携帯電話端末１８とを接続することによって、コンテンツ再生装置２０またはＰＣ１７から携帯電話端末１８に転送し、携帯電話端末１８からサーバ１４に送信することもできる。
【００４８】
携帯電話端末１８からの再生許可要求を受けて、サーバ１４は、上記（２）（３）の方法と同様に、携帯電話端末１８に再生許可情報を送信する。
【００４９】
その再生許可情報は、携帯電話端末１８で受信し、携帯電話端末１８から直接、またはＰＣ１７を介して、コンテンツ再生装置２０に転送する。
【００５０】
再生許可情報を携帯電話端末１８から直接、コンテンツ再生装置２０に転送する方法としては、（ｃ）携帯電話端末１８が備える赤外線送信機能およびコンテンツ再生装置２０が備える赤外線受信機能によって、またはＵＳＢケーブルなどにより携帯電話端末１８とコンテンツ再生装置２０を接続して、再生許可情報を携帯電話端末１８からコンテンツ再生装置２０に送信する方法、または（ｄ）外部メモリ９を携帯電話端末１８に装着して、携帯電話端末１８で受信した再生許可情報を外部メモリ９に書き込み、その外部メモリ９をコンテンツ再生装置２０に装着して、コンテンツ再生装置２０で外部メモリ９から再生許可情報を読み出す方法、などを用いることができる。再生許可情報を携帯電話端末１８からＰＣ１７を介してコンテンツ再生装置２０に転送する場合の、再生許可情報の携帯電話端末１８からＰＣ１７への転送についても、同様に、赤外線通信などの無線通信、ケーブル接続、または外部メモリの抜き差しによる方法を用いることができる。
【００５１】
コンテンツ再生装置２０は、以上のように携帯電話端末１８から直接、またはＰＣ１７を介して転送された再生許可情報を、コンテンツ記録媒体の再生許可情報記録領域に記録する。
【００５２】
〔３．コンテンツ再生装置およびコンテンツ再生方法の実施形態：図５および図６〕
図５に、この発明のコンテンツ再生装置の一例を示す。この例は、コンテンツ記録媒体が図１に示したような光ディスク１である場合で、コンテンツ再生装置２０が光ディスク再生装置（プレーヤ）として構成される場合である。
【００５３】
光ディスク１のコンテンツ記録領域１ｃには、映像や音楽などのコンテンツが多数、それぞれのコンテンツデータが暗号化されて記録されているものとする。したがって、それぞれのコンテンツは、図４で上述した方法によって再生許可情報として復号鍵（暗号解読鍵）が取得され、光ディスク１の再生許可情報記録領域１ｅに記録されることによって、再生することができるものである。
【００５４】
光ディスク１は、スピンドルモータ２１によって回転駆動され、光ピックアップ（光ヘッド）２２によって、図１に示したリードイン部１ａ、コンテンツ記録領域１ｃ、リードアウト部１ｂおよび再生許可情報記録領域１ｅから信号（データおよび情報）が読み取られ、再生許可情報記録領域１ｅに復号鍵が記録される。
【００５５】
光ピックアップ２２の読み取り出力は、ＲＦアンプ５１に供給され、ＲＦアンプ５１から、トラッキングエラー信号およびフォーカスエラー信号が得られる。そのトラッキングエラー信号およびフォーカスエラー信号は、サーボコントローラ２３に供給され、光ピックアップ２２のトラッキングおよびフォーカスが制御される。
【００５６】
さらに、ＲＦアンプ５１の出力信号は、復調回路５２で復調された後、アドレス再生回路５３に供給され、アドレス再生回路５３で、光ディスク１の読み取りアドレスが検出される。そのアドレス情報は、サーボコントローラ２３に供給され、光ディスク１のアドレッシングに用いられる。
【００５７】
アドレス再生回路５３を通じた、光ディスク１のコンテンツ記録領域１ｃからの暗号化コンテンツデータは、エラー訂正回路５４に供給され、エラー訂正回路５４から、エラー訂正された暗号化コンテンツデータが得られるとともに、アドレス再生回路５３を通じた、光ディスク１の再生許可情報記録領域１ｅからの復号鍵は、エラー訂正回路５５に供給され、エラー訂正回路５５から、エラー訂正された復号鍵が得られる。
【００５８】
そして、暗号復号化回路５６において、エラー訂正回路５４の出力の暗号化コンテンツデータが、エラー訂正回路５５の出力の復号鍵によって復号（暗号解読）され、出力端子５７に、復号後のコンテンツデータが得られる。
【００５９】
システムコントローラ３０は、コンテンツ再生装置２０の各部を制御するもので、ＣＰＵ３１を有し、そのバス３２に、ＣＰＵ３１が実行するプログラムや各種のデータが格納されたＲＯＭ３３、およびプログラムやデータが展開されるＲＡＭ３４が接続される。
【００６０】
また、バス３２に、インターフェース３５を介して操作部４１が接続されるとともに、インターフェース３６を介して表示部４２が接続される。
【００６１】
さらに、この例は、図４で上述した、再生許可情報（復号鍵）が書き込まれた外部メモリ９をコンテンツ再生装置２０に装着できるように構成され、その外部メモリ９が、インターフェース３７を介してバス３２に接続される。
【００６２】
また、この例では、上述したようにコンテンツ再生装置２０によってオンラインで再生許可情報（復号鍵）を取得できるように、バス３２には、広域ネットワーク１６に接続するためのネットワーク接続部３８が接続される。
【００６３】
さらに、この例では、図４で上述した、携帯電話端末１８から赤外線によって送信された再生許可情報（復号鍵）を受信できるように、バス３２には、インターフェース３９を介して赤外線受光部４３が接続される。
【００６４】
外部メモリ９から読み出した、または再生許可情報発行元１３のサーバ１４から広域ネットワーク１６を介してネットワーク接続部３８で受信した、または携帯電話端末１８から赤外線受光部４３で受信した復号鍵は、ＣＰＵ３１によって処理された後、媒体識別情報およびコンテンツ識別情報とともに、エラー訂正符号化回路６３でエラー訂正符号化され、変調回路６２で変調される。
【００６５】
さらに、記録回路６１で、光ピックアップ２２から光ディスク１に照射される記録用レーザ光が、変調後のデータにより制御されることによって、その復号鍵が、光ディスク１の再生許可情報記録領域１ｅの、ＣＰＵ３１によって決定されたアドレスに記録される。
【００６６】
図６に、このコンテンツ再生装置２０のＣＰＵ３１が行うコンテンツ再生制御処理の一例を示す。
【００６７】
この例では、ユーザが操作部４１で、あるコンテンツ（例えば、ある曲）の再生を指示したとき、ＣＰＵ３１は、まずステップ７１で、光ディスク１の再生許可情報記録領域１ｅに当該コンテンツの復号鍵が記録されているか否かを判断する。
【００６８】
そして、光ディスク１の再生許可情報記録領域１ｅに当該コンテンツの復号鍵が記録されている場合には、ＣＰＵ３１は、ステップ７１からステップ７２に進んで、図５で上述したように、暗号復号化回路５６において、その復号鍵によって当該コンテンツデータの暗号を解読する。これによって、ユーザは当該コンテンツを鑑賞することができる。
【００６９】
一方、光ディスク１の再生許可情報記録領域１ｅに当該コンテンツの復号鍵が記録されていない場合には、ＣＰＵ３１は、ステップ７１からステップ７３に進んで、表示部４２に当該コンテンツの再生ができない旨を表示する。
【００７０】
なお、コンテンツの再生ができない旨の呈示は、画像や文字などの表示ではなく、音声アナウンスによって行うようにしてもよい。
【００７１】
〔４．他の実施形態〕
上述した例は、コンテンツデータを暗号化して記録することによって、コンテンツの再生を制限する場合であるが、コンテンツデータを暗号化することなく記録し、コンテンツ再生装置を、当該コンテンツの再生に当たって、コンテンツ記録媒体の再生許可情報記録領域に当該コンテンツの再生許可情報として、定められたコード情報やフラグ情報が記録されているか否かを判断し、記録されていない場合には、当該コンテンツを再生しないように構成してもよい。
【００７２】
また、コンテンツ記録媒体を構成するディスク媒体は、図１または図３の例のような光ディスクに限らず、磁気ディスクでもよく、光ディスクなどのディスク媒体に取り付けられて再生許可情報記録領域を構成するチップ状メモリは、図３の例のような半導体チップに限らず、チップ状の磁気記録媒体などでもよい。
【図面の簡単な説明】
【００７３】
【図１】この発明のコンテンツ記録媒体の一例を示す図である。
【図２】この発明のコンテンツ記録媒体の一例を示す図である。
【図３】この発明のコンテンツ記録媒体の一例を示す図である。
【図４】再生許可情報取得方法の各方法を示す図である。
【図５】この発明のコンテンツ再生装置の一例を示す図である。
【図６】コンテンツ再生装置の制御手段が実行するコンテンツ再生制御処理の一例を示す図である。
【符号の説明】
【００７４】
主要部については図中に全て記述したので、ここでは省略する。
【図１】
2006004473.tif 000003
【図２】
2006004473.tif 000004
【図３】
2006004473.tif 000005
【図４】
2006004473.tif 000006
【図５】
2006004473.tif 000007
【図６】
2006004473.tif 000008
【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
コンテンツデータが、その再生が制限された状態で記録されているコンテンツ記録領域と、このコンテンツ記録領域とは別に、前記コンテンツデータの再生制限を解除して再生を許可する情報が記録される再生許可情報記録領域とが確保されたコンテンツ記録媒体。
【請求項２】
請求項１のコンテンツ記録媒体において、
当該コンテンツ記録媒体は、ディスク媒体であり、
前記コンテンツ記録領域および前記再生許可情報記録領域は、それぞれ前記ディスク媒体の径方向の一部領域であるコンテンツ記録媒体。
【請求項３】
請求項１のコンテンツ記録媒体において、
当該コンテンツ記録媒体は、カード状メモリであり、
前記コンテンツ記録領域および前記再生許可情報記録領域は、それぞれ前記カード状メモリの一部領域であるコンテンツ記録媒体。
【請求項４】
請求項１のコンテンツ記録媒体において、
当該コンテンツ記録媒体は、ディスク媒体であり、
前記コンテンツ記録領域は、前記ディスク媒体の径方向の一部領域であり、
前記再生許可情報記録領域は、前記ディスク媒体の前記コンテンツ記録領域の内側または外側に取り付けられたチップ状メモリであるコンテンツ記録媒体。
【請求項５】
請求項１のコンテンツ記録媒体において、
前記コンテンツデータは、暗号化されることによって、その再生が制限されたものであり、前記再生許可情報は、その暗号化されたデータを復号する鍵であるコンテンツ記録媒体。
【請求項６】
請求項１のコンテンツ記録媒体において、
前記コンテンツ記録領域にコンテンツデータが複数記録され、
前記再生許可情報は、１つまたは１グループのコンテンツデータ単位に対して設けられるコンテンツ記録媒体。
【請求項７】
コンテンツデータが、その再生が制限された状態で記録されているコンテンツ記録領域と、このコンテンツ記録領域とは別に、前記コンテンツデータの再生制限を解除して再生を許可する情報が記録される再生許可情報記録領域とが確保されたコンテンツ記録媒体につき、コンテンツ再生側で前記再生許可情報を取得する方法であって、
コンテンツ再生側において、再生許可情報発行元のサーバに対して、前記再生許可情報を要求する要求工程と、
その要求に対して前記サーバが、コンテンツ再生側に前記再生許可情報を発行する発行工程と、
コンテンツ再生側において、その発行された再生許可情報を受信し、前記再生許可情報記録領域に記録する受信記録工程と、
を備える再生許可情報取得方法。
【請求項８】
請求項７の再生許可情報取得方法において、
前記要求工程、および前記発行工程は、それぞれネットワークを通じて行う再生許可情報取得方法。
【請求項９】
請求項７の再生許可情報取得方法において、
前記要求工程は、コンテンツ再生側の携帯電話端末が前記サーバに対して行い、
前記発行工程は、前記サーバが前記携帯電話端末に対して行い、
前記受信記録工程では、前記携帯電話端末から転送された再生許可情報を前記再生許可情報記録領域に記録する再生許可情報取得方法。
【請求項１０】
請求項７の再生許可情報取得方法において、
前記コンテンツデータは、暗号化されることによって、その再生が制限されたものであり、前記再生許可情報は、その暗号化されたデータを復号する鍵である再生許可情報取得方法。
【請求項１１】
請求項７の再生許可情報取得方法において、
前記コンテンツ記録領域にコンテンツデータが複数記録され、
前記再生許可情報は、１つまたは１グループのコンテンツデータ単位に対して設けられる再生許可情報取得方法。
【請求項１２】
請求項７の再生許可情報取得方法において、
前記要求工程では、要求対象のコンテンツ記録媒体を特定する媒体識別情報、および要求対象のコンテンツデータを特定するコンテンツ識別情報を付加して前記再生許可情報を要求し、前記発行工程では、前記媒体識別情報および前記コンテンツ識別情報を付加して前記再生許可情報を発行する再生許可情報取得方法。
【請求項１３】
コンテンツデータが、その再生が制限された状態で記録されているコンテンツ記録領域と、このコンテンツ記録領域とは別に、前記コンテンツデータの再生制限を解除して再生を許可する情報が記録される再生許可情報記録領域とが確保されたコンテンツ記録媒体から、コンテンツデータを再生する方法であって、
再生を指示された当該コンテンツデータにつき、前記再生許可情報記録領域に再生許可情報が記録されているか否かを判断する判断工程と、
この判断工程で当該コンテンツデータにつき前記再生許可情報記録領域に再生許可情報が記録されていると判断したとき、当該コンテンツデータを再生する再生工程と、
前記判断工程で当該コンテンツデータにつき前記再生許可情報記録領域に再生許可情報が記録されていないと判断したとき、当該コンテンツデータを再生できない旨を呈示する呈示工程と、
を備えるコンテンツ再生方法。
【請求項１４】
コンテンツデータが、その再生が制限された状態で記録されているコンテンツ記録領域と、このコンテンツ記録領域とは別に、前記コンテンツデータの再生制限を解除して再生を許可する情報が記録される再生許可情報記録領域とが確保されたコンテンツ記録媒体から、コンテンツデータを再生する装置であって、
再生を指示された当該コンテンツデータにつき、前記再生許可情報記録領域に再生許可情報が記録されているか否かを判断する判断手段と、
この判断手段によって当該コンテンツデータにつき前記再生許可情報記録領域に再生許可情報が記録されていると判断されたとき、当該コンテンツデータを再生する再生手段と、
前記判断手段によって当該コンテンツデータにつき前記再生許可情報記録領域に再生許可情報が記録されていないと判断されたとき、当該コンテンツデータを再生できない旨を呈示する呈示手段と、
を備えるコンテンツ再生装置。
【請求項１５】
請求項１４のコンテンツ再生装置において、
再生許可情報を発行するサーバとの間のネットワークを通じた通信によって前記サーバから再生許可情報を受信する通信手段と、その受信された再生許可情報を前記再生許可情報記録領域に記録する記録手段とを備えるコンテンツ再生装置。
【請求項１６】
請求項１４のコンテンツ再生装置において、
携帯電話端末から送信された再生許可情報を受信する受信手段と、その受信された再生許可情報を前記再生許可情報記録領域に記録する記録手段とを備えるコンテンツ再生装置。
【請求項１７】
請求項１４のコンテンツ再生装置において、
当該コンテンツ再生装置に装着された外部メモリから、これに書き込まれている再生許可情報を読み出す手段と、その読み出された再生許可情報を前記再生許可情報記録領域に記録する記録手段とを備えるコンテンツ再生装置。
【手続補正２】
【補正対象書類名】明細書
【補正対象項目名】０００９
【補正方法】変更
【補正の内容】
【０００９】
この発明のコンテンツ記録媒体は、コンテンツデータが、その再生が制限された状態で記録されているコンテンツ記録領域と、このコンテンツ記録領域とは別に、前記コンテンツデータの再生制限を解除して再生を許可する情報が記録される再生許可情報記録領域とが確保されたものである。